(57)【要約】【課題】レンズユニットを簡単かつ迅速にカメラ本体に着脱する。【解決手段】カメラ本体３と、レンズユニット２と、該レンズユニット２を前記カメラ本体３に着脱可能に取り付ける着脱機構とを備え、該着脱機構が、前記カメラ本体３またはレンズユニット２のいずれか一方に設けられた磁石１０と、他方に設けられ前記磁石１０を吸着させる磁性部材１１とを備えるカメラを提供する。【選択図】  図１
2008076916.tif 000002
【特許請求の範囲】
【請求項１】
カメラ本体と、レンズユニットと、該レンズユニットを前記カメラ本体に着脱可能に取り付ける着脱機構とを備え、該着脱機構が、前記カメラ本体またはレンズユニットのいずれか一方に設けられた磁石と、他方に設けられ前記磁石を吸着させる磁性部材とを備えるカメラ。
【請求項２】
前記着脱機構が、前記カメラ本体に対して前記レンズユニットを半径方向に位置決めする位置決め手段を備える請求項１に記載のカメラ。
【請求項３】
前記位置決め手段が、前記レンズユニットに形成された第１の嵌合面と、前記カメラ本体に形成され前記第１の嵌合面に嵌合する第２の嵌合面とにより構成され、前記第１の嵌合面および前記第２の嵌合面がテーパ面からなる請求項２に記載のカメラ。
【請求項４】
前記位置決め手段が、前記レンズユニットに形成された第１の嵌合面と、前記カメラ本体に形成され前記第１の嵌合面に嵌合する第２の嵌合面とにより構成され、前記第１の嵌合面が凸曲面からなり、前記第２の嵌合面が凹曲面からなる請求項２に記載のカメラ。
【請求項５】
前記磁石が周方向に間隔をあけて複数箇所に配置され、そのうちの少なくとも一つがＮ極の磁石であり、少なくとも一つがＳ極の磁石である請求項１から４のいずれかに記載のカメラ。
【請求項６】
前記着脱機構が、前記カメラ本体に対して前記レンズユニットを周方向に位置決めする第２の位置決め手段を備え、
該第２の位置決め手段が、前記レンズユニットを前記カメラ本体に取り付けたときに、前記磁石と前記磁性部材とを周方向にずらした位置で前記カメラ本体に対する前記レンズユニットの回転を制限する請求項１から５のいずれかに記載のカメラ。
【請求項７】
カメラ本体またはレンズユニットのいずれか一方に設けられた磁石と、他方に設けられ前記磁石を吸着させる磁性部材とを備えるレンズ着脱機構。
【請求項８】
カメラ本体に設けられた磁性部材または磁石に吸着する磁石または磁性部材を備え、該磁石の吸着力により、前記カメラ本体に着脱可能に取り付けるレンズユニット。
【請求項９】
レンズユニットに設けられた磁性部材または磁石に吸着する磁石または磁性部材を備え、該磁石の吸着力により、前記レンズユニットに着脱可能に取り付けるカメラ本体。
【発明の詳細な説明】
【技術分野】
【０００１】
この発明は、カメラ、レンズ着脱機構、レンズユニットおよびカメラ本体に関するものであり、特に、小型軽量のカメラに関するものである。
【背景技術】
【０００２】
従来、レンズユニットをカメラ本体に着脱可能に取り付ける着脱機構として、バヨネット方式が知られている（例えば、特許文献１参照）。
このバヨネット方式の着脱機構において、カメラ本体からレンズユニットを取り外すには、カメラ本体のレンズマウント近傍に設けられた押しボタンを押してカメラ本体に対するレンズユニットの光軸回りの回転を可能とし、レンズユニットを光軸回りに略９０°回転させ、その後、レンズユニットをカメラ本体に対して光軸方向に引き離すという３つのステップを行う必要がある。逆に、このバイオネット方式の着脱機構においてレンズユニットをカメラ本体に取り付けるには、レンズユニットを光軸回りに回転させつつ嵌合位相を合わせ、レンズユニットをカメラ本体に対して光軸方向に嵌合させ、その後、レンズユニットを光軸回りに略９０°回転させるという３つのステップを行う必要がある。
【特許文献１】特開平７−１６８２６３号公報
【発明の開示】
【発明が解決しようとする課題】
【０００３】
しかし、カメラが小型化して、レンズユニットが小型になると、操作が困難になる。すなわち、押しボタンの小型化は操作性を低下させることとなる。また、レンズユニットが手で支持しにくくなり、光軸回りに回転させる作業も困難になる。さらに、バイオネット方式のレンズユニットをカメラ本体に固定するには、位相合わせが必要であるため、装着作業を目視確認できない状況、例えば、暗闇でのレンズ交換作業や被写体から目をそらすことができない手探りでのレンズ交換作業が極めて煩雑であり、時間がかかってシャッターチャンスを逃してしまう等の不都合がある。
【０００４】
この発明は、上述した事情に鑑みてなされたものであって、レンズユニットを簡単かつ迅速にカメラ本体に着脱することができるカメラを提供することを目的としている。
【課題を解決するための手段】
【０００５】
上記目的を達成するために、この発明は、以下の手段を提供する。
この発明に係るカメラは、カメラ本体と、レンズユニットと、該レンズユニットを前記カメラ本体に着脱可能に取り付ける着脱機構とを備え、該着脱機構が、前記カメラ本体またはレンズユニットのいずれか一方に設けられた磁石と、他方に設けられ前記磁石を吸着させる磁性部材とを備えている。
【０００６】
この発明によれば、レンズユニットをカメラ本体に近づけるだけで、磁石と磁性部材とを吸着させて、その吸引力によりレンズユニットを簡単かつ迅速にカメラ本体に取り付けることができる。また、カメラ本体に取り付けられたレンズユニットをカメラ本体から引き離すだけで、磁石と磁性部材との吸引力を断ち切ってレンズユニットを簡単かつ迅速にカメラ本体から取り外すことができる。これは、カメラの小型化が進み、レンズユニットの小型化が進むと磁石の吸引力が小さくなるのでより顕著になる。ここで、磁性部材とは、磁性材料からなる金属等の部材および永久磁石を含んでいる。
【０００７】
これにより、レンズユニットの着脱時間を短縮することができるとともに、レンズユニットを他のレンズユニット（例えば、倍率の異なるレンズユニット）に交換する際の交換時間を短縮することができる。
また、装着作業を目視確認できない状況でもレンズユニットを簡単かつ迅速にカメラ本体に取り付けることができ、また、カメラ本体から取り外すことができるので、シャッターチャンスを逃すことなく撮影することができる。
【０００８】
上記発明において、前記着脱機構が、前記カメラ本体に対して前記レンズユニットを半径方向に位置決めする位置決め手段を備えているとさらに好適である。
この発明によれば、レンズユニットのカメラ本体に対する半径方向の相対位置が一義的に決まることとなるので、レンズユニットをカメラ本体に取り付けたときの、レンズユニットとカメラ本体との相対位置を常に同じとすることができ、取付精度を向上させることができる。これは、例えば、図４に示すようなレンズユニット４４とカメラ本体４７との間で信号のやりとりを行うピン４８および金属板（送受信板）４９を備えたデジタルカメラ４１において特に有利な点となる。すなわち、レンズユニット４４に設けられたピン４８を、カメラ本体４７に設けられた金属板４９に精度よく正確に当接させることができる。
【０００９】
上記発明において、前記位置決め手段が、前記レンズユニットに形成された第１の嵌合面と、前記カメラ本体に形成され前記第１の嵌合面に嵌合する第２の嵌合面とにより構成され、前記第１の嵌合面および前記第２の嵌合面がテーパ面からなるとさらに好適である。
この発明によれば、レンズユニットが、テーパ面（傾斜面）からなる第１の嵌合面および第２の嵌合面を相互に嵌合させて、カメラ本体に取り付けられるので、レンズユニットをカメラ本体に対して若干（少し）傾けるだけで、レンズユニットをより簡単かつ迅速にカメラ本体から取り外すことができる。
【００１０】
上記発明において、前記位置決め手段が、前記レンズユニットに形成された第１の嵌合面と、前記カメラ本体に形成され前記第１の嵌合面に嵌合する第２の嵌合面とにより構成され、前記第１の嵌合面が凸曲面からなり、前記第２の嵌合面が凹曲面からなるとさらに好適である。
この発明によれば、位置決め手段である第１の嵌合面が凸曲面（湾曲面）とされ、第２の嵌合面が凹曲面（湾曲面）とされているので、これら嵌合面に付着したゴミ等を容易に取り除くことができるとともに、これら嵌合面を清浄な状態に保つことができる。特に、第２の嵌合面の曲率が人の指の腹の曲率に近い場合には、第２の嵌合面に付着したゴミ等がさらに拭き取りやすくなる。また、小型化されたカメラの場合には、第２の嵌合面の曲率を綿棒等の曲率に近づけると第２の嵌合面に付着したゴミ等を取り除き易くなる。そして、これら嵌合面に付着したゴミ等を取り除くことによってフォーカス位置ズレを防止することが可能となる。
【００１１】
上記発明において、前記磁石が周方向に間隔をあけて複数箇所に配置され、そのうちの少なくとも一つがＮ極の磁石であり、少なくとも一つがＳ極の磁石であるとさらに好適である。
この発明によれば、Ｎ極の磁石とＳ極の磁石とが互いに引き寄せ合うこととなって、レンズユニットのカメラ本体に対する周方向の相対位置が一義的に決まることとなるので、レンズユニットをカメラ本体に取り付けたときの、レンズユニットとカメラ本体との相対位置を常に同じとすることができ、取付精度を向上させることができる。これは、例えば、図４に示すようなレンズユニット４４とカメラ本体４７との間で信号のやりとりを行うピン４８および金属板（送受信板）４９を備えたデジタルカメラ４１において特に有利な点となる。すなわち、レンズユニット４４に設けられたピン４８を、カメラ本体４７に設けられた金属板４９に精度よく正確に当接させることができる。
【００１２】
上記発明において、前記着脱機構が、前記カメラ本体に対して前記レンズユニットを周方向に位置決めする第２の位置決め手段を備え、該第２の位置決め手段が、前記レンズユニットを前記カメラ本体に取り付けたときに、前記磁石と前記磁性部材とを周方向にずらした位置で前記カメラ本体に対する前記レンズユニットの回転を制限するとさらに好適である。
この発明によれば、レンズユニットをカメラ本体に取り付けた状態において、カメラ本体またはレンズユニットのいずれか一方に設けられた磁石と、他方に設けられ前記磁石を吸着させる磁性部材とが互いに引き寄せ合うこととなる。このとき第２の位置決め手段により、磁石と磁性部材とが周方向にずれた位置で回転を制限されるので、レンズユニットには周方向に磁石と磁性部材との磁気吸引力が作用した状態に維持され、レンズユニットのカメラ本体に対する周方向の相対位置が一義的に決まることとなる。これにより、レンズユニットをカメラ本体に取り付けたときの、レンズユニットとカメラ本体との相対位置を常に同じとすることができるとともに、レンズユニットの周方向におけるガタツキを防止することができる。これは、例えば、図４または図５に示すようなレンズユニット４４，５５とカメラ本体４７，５９との間で信号のやりとりを行うピン４８および金属板（送受信板）４９を備えている場合に、特に有利な点となる。すなわち、レンズユニット４４，５５に設けられたピン４８を、カメラ本体４７，５９に設けられた金属板４９に精度よく正確に当接させることができる。
【００１３】
この発明に係るレンズ着脱機構は、カメラ本体またはレンズユニットのいずれか一方に設けられた磁石と、他方に設けられ前記磁石を吸着させる磁性部材とを備えている。
この発明によれば、レンズユニットをカメラ本体に近づけるだけでレンズユニットを簡単かつ迅速にカメラ本体に取り付けることができ、また、カメラ本体に取り付けられたレンズユニットをカメラ本体から引き離すだけでレンズユニットを簡単かつ迅速にカメラ本体から取り外すことができる。これは、カメラの小型化が進み、レンズユニットの小型化が進むとより顕著になる。
【００１４】
これにより、レンズユニットの着脱時間を短縮することができるとともに、レンズユニットを他のレンズユニット（例えば、倍率の異なるレンズユニット）に交換する際の交換時間を短縮することができる。
また、装着作業を目視確認できない状況でもレンズユニットを簡単かつ迅速にカメラ本体に取り付けることができ、また、カメラ本体から取り外すことができるので、シャッターチャンスを逃すことなく撮影することができる。
【００１５】
この発明に係るレンズユニットは、カメラ本体に設けられた磁性部材に吸着する磁石を備えている。
また、この発明に係るカメラ本体は、レンズユニットに設けられた磁性部材に吸着する磁石を備えている。
これらの発明によれば、レンズユニットをカメラ本体に近づけるだけでレンズユニットを簡単かつ迅速にカメラ本体に取り付けることができ、また、カメラ本体に取り付けられたレンズユニットをカメラ本体から引き離すだけでレンズユニットを簡単かつ迅速にカメラ本体から取り外すことができる。これは、カメラの小型化が進み、レンズユニットの小型化が進むとより顕著になる。
【００１６】
これにより、レンズユニットの着脱時間を短縮することができるとともに、レンズユニットを他のレンズユニット（例えば、倍率の異なるレンズユニット）に交換する際の交換時間を短縮することができる。
また、装着作業を目視確認できない状況でもレンズユニットを簡単かつ迅速にカメラ本体に取り付けることができ、また、カメラ本体から取り外すことができるので、シャッターチャンスを逃すことなく撮影することができる。
【発明の効果】
【００１７】
この発明によれば、レンズユニットを簡単かつ迅速にカメラ本体に着脱することができるという効果を奏する。
【発明を実施するための最良の形態】
【００１８】
以下、本発明の第１実施形態に係るカメラ（以下、「デジタルカメラ」という。）について、図１を参照して以下に説明する。
図１は本実施形態によるデジタルカメラの概略構成を説明するための図で、図１（ａ）はデジタルカメラの正面図、図１（ｂ）は図１（ａ）のＩ−Ｉ矢視断面図、図１（ｃ）はレンズユニットの背面図である。
【００１９】
本実施形態によるデジタルカメラ１は、レンズユニット（撮影レンズユニット）２と、カメラ本体３とを主たる要素として構成されたものである。
レンズユニット２は、被写体像を撮像する少なくとも一枚のレンズ４を備えた、平面視円形状を呈する筒状の部材であり、その後端部には、後述するカメラ本体３の開口部（嵌合部）５に受け入れられる（と嵌合する）凸部（縮径部）６が設けられている。
凸部６は、その外周面７がレンズユニット２の光軸（あるいはレンズユニット２の外周面８）と平行になるように形成されている。また、凸部６の外周面７とレンズユニット２の外周面８とは、レンズユニット２の光軸（あるいはレンズユニット２の外周面８）と直交する平面と平行になるように形成された第１の嵌合面９（位置決め手段）で結ばれている（接続されている）。そして、図１（ｃ）に示すように、レンズユニット２の内部で、かつ、第１の嵌合面９の内側（正面側）には、少なくとも一つ（本実施形態では１つ）の磁石（着脱機構：例えば、Ｎ極の磁石）１０が設けられている。
【００２０】
カメラ本体３は、被写体像を撮像する撮像部（図示せず）と、この撮像部により撮像された被写体像をデジタル化して記憶する画像記憶部（図示せず）と、撮像部により撮像された被写体像を表示する画像表示部（図示せず）とを備えた、平面視略矩形状を呈する箱状の部材である。撮像部はカメラ本体３の内部で、かつ、レンズユニット２の光軸上に配置されており、画像記憶部はカメラ本体３の内部に配置されている。また、カメラ本体３の正面における略中央部には、レンズユニット２の凸部６を受け入れる（と嵌合する）開口部５が設けられているとともに、カメラ本体３の背面（カメラ本体３の正面と反対側の面）における略中央部には、画像表示部が配置されている。
【００２１】
開口部５は、その内周面が凸部６の外周面７と平行になるとともに、その内径が凸部６の外径（すなわち、外周面７の直径）よりも若干（わずかに）大きくなるように（レンズユニット２をカメラ本体３に抵抗なく（円滑に）抜き差しできるように）形成されている。また、開口部５の半径方向外側で、かつ、レンズユニット２をカメラ本体３に取り付けたときに第１の嵌合面９と対向する領域（場所）は、第１の嵌合面９と当接する第２の嵌合面（位置決め手段：磁性部材：着脱機構）１１とされている。そして、この第２の嵌合面１１は、第１の嵌合面９の内側に配置された磁石１０を吸着させる磁性部材で作られている。
なお、図１（ａ）中の符号１２はシャッターボタンである。
【００２２】
本実施形態によるデジタルカメラ１によれば、レンズユニット２の凸部６をカメラ本体３の開口部５に差し込むだけでレンズユニット２を簡単かつ迅速にカメラ本体３に取り付けることができ、また、カメラ本体３に取り付けられたレンズユニット２を前方（カメラ本体３と反対の方向）に引き抜くだけでレンズユニット２を簡単かつ迅速にカメラ本体３から取り外すことができる。これは、デジタルカメラ１の小型化が進み、レンズユニット２の小型化が進むとより顕著になる。
これにより、レンズユニット２の着脱時間を短縮することができるとともに、レンズユニット２を他のレンズユニット（例えば、倍率の異なるレンズユニット）に交換する際の交換時間を短縮することができる。
また、装着作業を目視確認できない状況でもレンズユニット２を簡単かつ迅速にカメラ本体３に取り付けることができ、また、カメラ本体３から取り外すことができるので、シャッターチャンスを逃すことなく撮影することができる。
【００２３】
本発明の第２実施形態に係るデジタルカメラについて、図２を参照して以下に説明する。図２は本実施形態によるデジタルカメラの概略構成を説明するための図で、図１（ｂ）と同様の図である。
図２に示すように、本実施形態によるデジタルカメラ２１は、第１の嵌合面９の代わりに第３の嵌合面（第１の嵌合面：位置決め手段）２２を有するレンズユニット２３と、第２の嵌合面１１の代わりに第４の嵌合面（第２の嵌合面：位置決め手段）２４を有するカメラ本体２５とを備えているという点で前述した第１実施形態のものと異なる。その他の構成要素については前述した第１実施形態のものと同じであるので、ここではそれら構成要素についての説明は省略する。
なお、前述した第１実施形態と同一の部材には同一の符号を付している。
【００２４】
第３の嵌合面２２は、レンズユニット２３の外周面２６と、レンズユニット２３の後端部に形成された凸部（縮径部）２７の後端面とを結ぶとともに、凸部２７の外周面を形成するテーパ面（傾斜面）であり、レンズユニット２３の光軸（あるいはレンズユニット２３の外周面２６）に対して傾斜するとともに、先細になるように形成されている。また、前述した第１実施形態と同様、レンズユニット２３の内部で、かつ、第３の嵌合面２２の内側（正面側）には、少なくとも一つ（本実施形態では１つ）の磁石（例えば、Ｎ極の磁石）１０（図１（ｃ）参照）が設けられている。
第４の嵌合面２４は、カメラ本体２５の正面と開口部５の前端とを結ぶとともに、レンズユニット２３をカメラ本体２５に取り付けたときに第３の嵌合面２２と当接するテーパ面（傾斜面）である。また、前述した第１実施形態と同様、この第４の嵌合面２４は、第３の嵌合面２２の内側に配置された磁石１０を吸着させる磁性部材で作られている。
【００２５】
本実施形態によるデジタルカメラ２１によれば、第３の嵌合面２２および第４の嵌合面２４がテーパ面（傾斜面）とされているので、カメラ本体２５に取り付けられたレンズユニット２３を、カメラ本体２５に対して若干（少し）傾けるだけでレンズユニット２３を第１実施形態のものよりも簡単かつ迅速にカメラ本体２５から取り外すことができる。
これにより、レンズユニット２３の着脱時間をさらに短縮することができるとともに、レンズユニット２３を他のレンズユニット（例えば、倍率の異なるレンズユニット）に交換する際の交換時間を短縮することができる。
また、装着作業を目視確認できない状況でもレンズユニット２３を簡単かつ迅速にカメラ本体２５に取り付けることができ、また、カメラ本体２５から取り外すことができるので、シャッターチャンスを逃すことなく撮影することができる。
【００２６】
本発明の第３実施形態に係るデジタルカメラについて、図３を参照して以下に説明する。図３は本実施形態によるデジタルカメラの概略構成を説明するための図で、図１（ｂ）と同様の図である。
図３に示すように、本実施形態によるデジタルカメラ３１は、第１の嵌合面９の代わりに第５の嵌合面（第３の嵌合面：位置決め手段）３２を有するレンズユニット３３と、第２の嵌合面１１の代わりに第６の嵌合面（第４の嵌合面：位置決め手段）３４を有するカメラ本体３５とを備えているという点で前述した第１実施形態のものと異なる。その他の構成要素については前述した第１実施形態のものと同じであるので、ここではそれら構成要素についての説明は省略する。
なお、前述した第１実施形態と同一の部材には同一の符号を付している。
【００２７】
第５の嵌合面３２は、レンズユニット３３の外周面３６と、レンズユニット３３の後端部に形成された凸部（縮径部）３７の後端面とを結ぶとともに、凸部３７の外周面を形成する凸曲面（湾曲面）であり、レンズユニット３３の光軸（あるいはレンズユニット３３の外周面３６）に対して傾斜するとともに、先細になるように形成されている。また、前述した第１実施形態と同様、レンズユニット３３の内部で、かつ、第５の嵌合面３２の内側（正面側）には、少なくとも一つ（本実施形態では１つ）の磁石（例えば、Ｎ極の磁石）１０（図１（ｃ）参照）が設けられている。
第６の嵌合面３４は、カメラ本体３５の正面と開口部５の前端とを結ぶとともに、レンズユニット３３をカメラ本体３５に取り付けたときに第５の嵌合面３２と当接する凹曲面（湾曲面）である。また、前述した第１実施形態と同様、この第６の嵌合面３４は、第５の嵌合面３２の内側に配置された磁石１０を吸着させる磁性部材で作られている。
【００２８】
本実施形態によるデジタルカメラ３１によれば、第５の嵌合面３２および第６の嵌合面３４が曲面（湾曲面）とされているので、これら嵌合面３２，３４に付着したゴミ等を容易に取り除くことができるとともに、これら嵌合面３２，３４を清浄な状態に保つことができる。特に、第６の嵌合面３４の曲率が人の指の腹の曲率に近い場合には、第６の嵌合面３４に付着したゴミ等がさらに拭き取りやすくなる。また、小型化されたデジタルカメラ３１の場合には、第６の嵌合面３４の曲率を綿棒等の曲率に近づけると第６の嵌合面３４に付着したゴミ等を取り除き易くなる。
また、本実施形態によるデジタルカメラ３１によれば、カメラ本体３５に取り付けられたレンズユニット３３を、カメラ本体３５に対して若干（少し）傾けるだけでレンズユニット３３を第１実施形態のものよりも簡単かつ迅速にカメラ本体３５から取り外すことができる。
これにより、レンズユニット３３の着脱時間をさらに短縮することができるとともに、レンズユニット３３を他のレンズユニット（例えば、倍率の異なるレンズユニット）に交換する際の交換時間を短縮することができる。
また、装着作業を目視確認できない状況でもレンズユニット３３を簡単かつ迅速にカメラ本体３５に取り付けることができ、また、カメラ本体３５から取り外すことができるので、シャッターチャンスを逃すことなく撮影することができる。
【００２９】
本発明の第４実施形態に係るデジタルカメラについて、図４を参照して以下に説明する。
図４は本実施形態によるデジタルカメラの概略構成を説明するための図で、図４（ａ）はカメラ本体の正面図、図４（ｂ）はデジタルカメラの縦断面図、図４（ｃ）はレンズユニットの背面図である。
図４に示すように、本実施形態によるデジタルカメラ４１は、第１の嵌合面９の内側（正面側）に、磁極の異なる２つの磁石（着脱機構）４２，４３を有するレンズユニット４４と、第２の嵌合面１１の内側（背面側）に、磁極の異なる２つの磁石（着脱機構）４５，４６を有するカメラ本体４７とを備えているという点で前述した第１実施形態のものと異なる。その他の構成要素については前述した第１実施形態のものと同じであるので、ここではそれら構成要素についての説明は省略する。
なお、前述した第１実施形態と同一の部材には同一の符号を付している。
【００３０】
磁石（例えば、Ｎ極の磁石）４２は、レンズユニット４４の内部で、かつ、第１の嵌合面９の一側（図４（ｃ）において左側）に配置されており、磁石（例えば、Ｓ極の磁石）４３は、レンズユニット４４の内部で、かつ、第１の嵌合面９の他側（図４（ｃ）において右側）に配置されている。
一方、磁石（例えば、Ｎ極の磁石）４５は、カメラ本体４７の内部で、かつ、第２の嵌合面１１の一側（図４（ａ）において左側）、すなわち、レンズユニット４４をカメラ本体４７に取り付けたときに磁石４３と対向する位置に配置されている。また、磁石（例えば、Ｓ極の磁石）４６は、カメラ本体４７の内部で、かつ、第２の嵌合面１１の他側（図４（ａ）において右側）、すなわち、レンズユニット４４をカメラ本体４７に取り付けたときに磁石４２と対向する位置に配置されている。
【００３１】
本実施形態によるデジタルカメラ４１によれば、磁石４２と磁石４６とが互いに引き寄せ合い、磁石４３と磁石４５とが互いに引き寄せ合うこととなって、レンズユニット４４のカメラ本体４７に対する周方向の相対位置が一義的に決まることとなるので、レンズユニット４４をカメラ本体４７に取り付けたときの、レンズユニット４４とカメラ本体４７との相対位置を常に同じとすることができる。これは、例えば、図４に示すようなレンズユニット４４とカメラ本体４７との間で信号のやりとりを行うピン４８および金属板（送受信板）４９を備えたデジタルカメラ４１において特に有利な点となる。すなわち、レンズユニット４４に設けられたピン４８を、カメラ本体４７に設けられた金属板４９に精度よく正確に当接させることができる。
その他の作用効果は、前述した第１実施形態のものと同じであるので、ここではその説明を省略する。
【００３２】
本発明の第５実施形態に係るデジタルカメラについて、図５を参照して以下に説明する。
図５は本実施形態によるデジタルカメラの概略構成を説明するための図で、図５（ａ）はカメラ本体の正面図、図５（ｂ）はレンズユニットの背面図である。
図５に示すように、本実施形態によるデジタルカメラ５１は、第１の嵌合面９の内側（正面側）に、３つの磁石（着脱機構）５２，５３，５４を有するレンズユニット５５と、第２の嵌合面１１の内側（背面側）に、３つの磁石（着脱機構）５６，５７，５８を有するカメラ本体５９とを備えているという点で前述した第１実施形態のものと異なる。その他の構成要素については前述した第１実施形態のものと同じであるので、ここではそれら構成要素についての説明は省略する。
なお、前述した第１実施形態と同一の部材には同一の符号を付している。
【００３３】
磁石（例えば、Ｓ極の磁石）５２は、レンズユニット５５の内部で、かつ、第１の嵌合面９の一側（図５（ｂ）において左側）に配置されており、磁石５２と同じ磁極を有する磁石（例えば、Ｓ極の磁石）５３は、レンズユニット５５の内部で、かつ、第１の嵌合面９の他側（図５（ｂ）において右側）に配置されている。また、これら磁石５２，５３と異なる磁極を有する磁石（例えば、Ｎ極の磁石）５４は、レンズユニット５５の内部で、かつ、ピン４８と反対の側（図５（ｂ）において下側）に位置するとともに、磁石５２および磁石５３から周方向に同じ角度（本実施形態では９０°）だけ離間した位置に配置されている。
一方、磁石（例えば、Ｎ極の磁石）５６は、カメラ本体５９の内部で、かつ、第２の嵌合面１１の一側（図５（ａ）において左側）に配置されており、磁石５６と同じ磁極を有する磁石（例えば、Ｎ極の磁石）５７は、カメラ本体５９の内部で、かつ、第２の嵌合面１１の他側（図５（ａ）において右側）に配置されている。また、これら磁石５６，５７と異なる磁極を有する磁石（例えば、Ｓ極の磁石）５８は、カメラ本体５９の内部で、かつ、金属板（送受信板）４９と反対の側（図５（ａ）において下側）に位置するとともに、磁石５６および磁石５７から周方向に同じ角度（本実施形態では９０°）だけ離間した位置に配置されている。
【００３４】
本実施形態によるデジタルカメラ５１によれば、カメラ本体５９に取り付けられたレンズユニット５５の先端部を下方に押し下げる（または上方に押し上げる）だけで、すなわち、磁石５２と磁石５３とを結ぶ線（または磁石５６と磁石５７とを結ぶ線）と直交する方向に倒すだけでレンズユニット５５を簡単かつ迅速にカメラ本体５９から取り外すことができる。これは、デジタルカメラ５１の小型化が進み、レンズユニット５５の小型化が進むとより顕著になる。
これにより、レンズユニット５５の着脱時間をさらに短縮することができるとともに、レンズユニット５５を他のレンズユニット（例えば、倍率の異なるレンズユニット）に交換する際の交換時間を短縮することができる。
また、装着作業を目視確認できない状況でもレンズユニット５５を簡単かつ迅速にカメラ本体５９に取り付けることができ、また、カメラ本体５９から取り外すことができるので、シャッターチャンスを逃すことなく撮影することができる。
さらに、本実施形態によるデジタルカメラ５１によれば、磁石５２と磁石５７とが互いに引き寄せ合い、磁石５３と磁石５６とが互いに引き寄せ合い、磁石５４と磁石５８とが互いに引き寄せ合うこととなって、レンズユニット５５のカメラ本体５９に対する周方向の相対位置が一義的に決まることとなるので、レンズユニット５５をカメラ本体５９に取り付けたときの、レンズユニット５５とカメラ本体５９との相対位置を常に同じとすることができる。これは、例えば、図５に示すようなレンズユニット５５とカメラ本体５９との間で信号のやりとりを行うピン４８および金属板（送受信板）４９を備えたデジタルカメラ５１において特に有利な点となる。すなわち、レンズユニット５５に設けられたピン４８を、カメラ本体５９に設けられた金属板４９に精度よく正確に当接させることができる。
【００３５】
本発明の第６実施形態に係るデジタルカメラについて、図６および図７を参照して以下に説明する。
図６はレンズユニットとカメラ本体との係合関係を説明するための図で、図６（ａ）はレンズユニット側の第１の係合部の正面図、図６（ｂ）はカメラ本体側の第２の係合部の正面図である。図７はレンズユニットとカメラ本体との係合関係を説明するための図で、図７（ａ）はレンズユニットをカメラ本体の正面に近づけた状態を示す要部断面図、図７（ｂ）はレンズユニット側の第１の係合部の一部をカメラ本体側の第２の係合部に係合させた状態を示す要部断面図、図７（ｃ）はレンズユニット側の第１の係合部をカメラ本体側の第２の係合部に完全に係合させた状態を示す要部断面図である。
【００３６】
図６に示すように、本実施形態によるデジタルカメラは、第１の係合部（第２の位置決め手段）６１を有するレンズユニット６２と、第１の係合部６１と係合する第２の係合部（第２の位置決め手段）６３を有するカメラ本体６４とを備えているという点で前述した第１実施形態のものと異なる。その他の構成要素については前述した第１実施形態のものと同じであるので、ここではそれら構成要素についての説明は省略する。
なお、前述した第１実施形態と同一の部材には同一の符号を付している。
【００３７】
第１の係合部６１は、外周面７に沿って周方向に延びるとともに、外周面７から半径方向外側に突出し、かつ、第１の嵌合面９から外周面７に向かって突出する断面視Ｌ字形状（図７参照）を呈する複数個（本実施形態では３個）突起であり、等間隔に配置されている。また、本実施形態においては、図６（ａ）に示すように、レンズユニット６２の内部で、かつ、第１の嵌合面９の内側（正面側）に、３つの磁石（着脱機構：例えば、Ｎ極の磁石）６５，６６，６７が設けられている。
第２の係合部６３は、開口部５の内周面に沿って周方向に延びるとともに、開口部５の内周面から半径方向内側に向かって突出する断面視矩形形状（図７参照）を呈する複数個（本実施形態では３個）突起であり、等間隔に配置されている。また、本実施形態においては、図６（ｂ）に示すように、カメラ本体６４の内部で、かつ、第２の嵌合面１１の内側（背面側）に、３つの磁石（着脱機構：例えば、Ｓ極の磁石）６８，６９，７０が設けられている。
【００３８】
また、本実施形態において、凸部６（図１（ｂ）および図４（ｂ）参照）および開口部５は、外周面７の直径と第２の係合部６３の内周面を結ぶ円の直径とが等しく、第１の係合部６１の外周面を結ぶ円の直径と開口部５の内周面の直径とが等しくなるように形成されている。すなわち、第１の係合部６１および第２の係合部６３は、第１の係合部６１の曲率と第２の係合部６３の曲率とが同じになるように、言い換えれば、第１の係合部６１の当接面７１と、第２の係合部６３の当接面７２とが互いに当接するように形成されている。
さらに、図７に示すように、第１の係合部６１の先端部（第１の係合面９と反対の側に向かって延びる部分、すなわち、レンズユニット６２をカメラ本体６４に取り付けるときに開口部５に向かって延びる部分）７３は、第２の係合部６３と第２の係合部６３との間に位置することとなり、第１の係合部６１を第２の係合部６３に完全に係合させたときに先端部７３の内側面７４と第２の係合部６３の一側面７５とが互いに当接して（図７（ｃ）参照）、レンズユニット６２の回転（図６（ａ）中の白抜き矢印方向への回転）が制限（拘束）されるようになっている。
【００３９】
本実施形態によるデジタルカメラによれば、第１の係合部６１が第２の係合部６３に完全に係合した状態、すなわち、先端部７３の内側面７４と第２の係合部６３の一側面７５とが互いに当接した状態（図７（ｃ）参照）において、光軸方向に完全に重ならないように、第２の係合部６３の周方向にずれた位置に磁石６５，６６，６７と磁石６８，６９，７０とが配置されているので、磁石６５，６６，６７と磁石６８，６９，７０とが第２の係合部６３の周方向で互いに引き寄せ合うこととなって、レンズユニット６２のカメラ本体６４に対する周方向の相対位置が一義的に決まることとなるとともに、先端部７３の内側面７４が第２の係合部６３の一側面７５に対して所定の力で押し付けられる（密着させられる）こととなる。これにより、レンズユニット６２をカメラ本体６４に取り付けたときの、レンズユニット６２とカメラ本体６４との相対位置を常に同じとすることができるとともに、レンズユニット６２の周方向におけるガタツキを防止することができる。これは、例えば、図４または図５に示すような、レンズユニット６２とカメラ本体６４との間で信号のやりとりを行うピン４８および金属板（送受信板）４９を備えている場合に、特に有利な点となる。すなわち、レンズユニットに設けられたピン４８を、カメラ本体に設けられた金属板４９に精度よく正確に当接させることができる。
その他の作用効果は、前述した第１実施形態のものと同じであるので、ここではその説明を省略する。
【００４０】
なお、本発明は上述した実施形態に限定されるものではなく、適宜必要に応じて組み合わせて実施することもできる。すなわち、例えば、第４実施形態ないし第６実施形態のところで説明したレンズユニットとカメラ本体とを嵌合させるのに、第２実施形態または第３実施形態のところで説明したものを適用することもできる。
また、第１実施形態のところでは、レンズユニット２の側に磁石１０が、カメラ本体３の側に磁性部材が配置されているが、レンズユニット２の側に磁性部材を配置し、カメラ本体３の側に磁石１０を配置しても良い。
【図面の簡単な説明】
【００４１】
【図１】本発明の第１実施形態に係るデジタルカメラの概略構成を説明するための図で、（ａ）はデジタルカメラの正面図、（ａ）のＩ−Ｉ矢視断面図、（ｃ）はレンズユニットの背面図である。
【図２】本発明の第２実施形態に係るデジタルカメラの概略構成を説明するための図で、図１（ｂ）と同様の図である。
【図３】本発明の第３実施形態に係るデジタルカメラの概略構成を説明するための図で、図１（ｂ）と同様の図である。
【図４】本発明の第４実施形態に係るデジタルカメラの概略構成を説明するための図で、（ａ）はカメラ本体の正面図、（ｂ）はデジタルカメラの縦断面図、（ｃ）はレンズユニットの背面図である。
【図５】本発明の第５実施形態に係るデジタルカメラの概略構成を説明するための図で、（ａ）はカメラ本体の正面図、（ｂ）はレンズユニットの背面図である。
【図６】本発明の第６実施形態に係るデジタルカメラの、レンズユニットとカメラ本体との係合関係を説明するための図で、（ａ）はレンズユニット側の第１の係合部の正面図、（ｂ）はカメラ本体側の第２の係合部の正面図である。
【図７】本発明の第６実施形態に係るデジタルカメラの、レンズユニットとカメラ本体との係合関係を説明するための図で、（ａ）はレンズユニットをカメラ本体の正面に近づけた状態を示す要部断面図、（ｂ）はレンズユニット側の第１の係合部の一部をカメラ本体側の第２の係合部に係合させた状態を示す要部断面図、（ｃ）はレンズユニット側の第１の係合部をカメラ本体側の第２の係合部に完全に係合させた状態を示す要部断面図である。
【符号の説明】
【００４２】
１  デジタルカメラ（カメラ）
２  レンズユニット
３  カメラ本体
９  第１の嵌合面（位置決め手段）
１０  磁石（着脱機構）
１１  第２の嵌合面（位置決め手段：磁性部材：着脱機構）
２１  デジタルカメラ（カメラ）
２２  第３の嵌合面（第１の嵌合面：位置決め手段）
２３  レンズユニット
２４  第４の嵌合面（第２の嵌合面：位置決め手段）
２５  カメラ本体
３１  デジタルカメラ（カメラ）
３２  第５の嵌合面（第１の嵌合面：位置決め手段）
３３  レンズユニット
３４  第６の嵌合面（第２の嵌合面：位置決め手段）
３５  カメラ本体
４１  デジタルカメラ（カメラ）
４２  磁石（着脱機構）
４３  磁石（着脱機構）
４４  レンズユニット
４５  磁石（着脱機構）
４６  磁石（着脱機構）
４７  カメラ本体
５１  デジタルカメラ（カメラ）
５２  磁石（着脱機構）
５３  磁石（着脱機構）
５４  磁石（着脱機構）
５５  レンズユニット
５６  磁石（着脱機構）
５７  磁石（着脱機構）
５８  磁石（着脱機構）
５９  カメラ本体
６１  第１の係合部（第２の位置決め手段）
６２  レンズユニット
６３  第２の係合部（第２の位置決め手段）
６４  カメラ本体
６５  磁石（着脱機構）
６６  磁石（着脱機構）
６７  磁石（着脱機構）
６８  磁石（着脱機構）
６９  磁石（着脱機構）
７０  磁石（着脱機構）
【図１】
2008076916.tif 000003
【図２】
2008076916.tif 000004
【図３】
2008076916.tif 000005
【図４】
2008076916.tif 000006
【図５】
2008076916.tif 000007
【図６】
2008076916.tif 000008
【図７】
2008076916.tif 000009